【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
第１のインクに対応する多値データを量子化して第１の量子化データを生成し、第２のインクに対応する多値データを量子化して第２の量子化データを生成する量子化手段を備え、
前記第１の量子化データに従って前記第１のインクを吐出し前記第２の量子化データに従って前記第２のインクを吐出する記録手段を用いて画像を記録するためのデータ処理を行う画像処理装置であって、
前記第１のインクの表面張力は前記第２のインクの表面張力よりも高く、
前記第１のインクに対応する多値データが中間濃度を示し、前記第２のインクに対応する多値データが中間濃度を示す場合に、前記第１の量子化データに従って記録媒体に記録される第１のドットパターンは、前記第２の量子化データに従って前記記録媒体に記録される第２のドットパターンよりも分散性が高いことを特徴とする画像処理装置。
【請求項２】
前記量子化手段は、前記第１のインクに対応する多値データおよび前記第２のインクに対応する多値データを夫々の閾値と比較することにより、ドットの記録または非記録を示す前記第１の量子化データおよび前記第２の量子化データを生成することを特徴とする請求項１に記載の画像処理装置。
【請求項３】
前記量子化手段は、複数の閾値が配列する同一の閾値マトリクスを参照し、前記第１のインクに対応する多値データを前記閾値マトリクスに記憶されている閾値と比較して量子化処理を行い、前記第２のインクに対応する多値データを、前記第１のインクに対応する多値データに基づいて値が減らされた後の当該閾値と比較して量子化処理を行うことを特徴とする請求項２に記載の画像処理装置。
【請求項４】
前記量子化手段は、複数の閾値が配列する互いに異なる閾値マトリクスを参照し、前記第１のインクに対応する多値データの量子化処理および前記第２のインクに対応する多値データの量子化処理をそれぞれ行うことを特徴とする請求項２に記載の画像処理装置。
【請求項５】
前記閾値マトリクスはブルーノイズ特性を有することを特徴とする請求項３または４に記載の画像処理装置。
【請求項６】
前記閾値マトリクスは、前記第１のドットパターンおよび前記第２のドットパターンにおいて、低周波のパワーが高周波のパワーよりも抑えられるように形成されていることを特徴とする請求項３または４に記載の画像処理装置。
【請求項７】
前記第１のドットパターンと前記第２のドットパターンは、低階調領域において互いに排他であることを特徴とする請求項１ないし６のいずれか１項に記載の画像処理装置。
【請求項８】
前記量子化手段は誤差拡散法を用いて前記第１の量子化データを生成し、前記第１の量子化データを生成するための量子化の結果を参照して前記第１のドットパターンと前記第２のドットパターンが低階調領域において互いに排他となるように、前記第２の量子化データを生成することを特徴とする請求項１に記載の画像処理装置。
【請求項９】
画素に対応する領域におけるドットの配置が予め定められたドット配置パターンを用いることにより、前記第１の量子化データを前記第１のドットパターンに変換し、前記第２の量子化データを前記第２のドットパターンに変換する手段を更に備えることを特徴とする請求項１ないし８のいずれか１項に記載の画像処理装置。
【請求項１０】
前記第１の量子化データに従って前記第１のインクを吐出し、前記第２の量子化データに従って前記第２のインクを吐出する前記記録手段を更に備えることを特徴とする請求項１ないし９のいずれか１項に記載の画像処理装置。
【請求項１１】
第１のインクに対応する多値データを複数の閾値が配列された閾値マトリクスの前記閾値と比較することにより量子化して第１の量子化データを生成し、第２のインクに対応する多値データを量子化して第２の量子化データを生成する量子化手段を備え、
前記第１の量子化データに従って第１のインクを吐出し前記第２の量子化データに従って前記第２のインクを吐出する記録手段によって記録媒体に画像の記録を行うためのデータ処理を行う画像処理装置であって、
前記第１のインクの表面張力は前記第２のインクの表面張力よりも高く、
前記量子化手段は、前記第１のインクに対応する多値データとの比較に用いられた前記閾値と前記第２のインクに対応する多値データとの差分を前記第１のインクに対応する多値データに基づいて変更した後に、変更後の前記閾値と前記第２のインクに対応する多値データとの対応関係において前記第２のインクに対応する多値データを当該閾値とを比較することにより前記第２のインクに対応する多値データの量子化を行うことを特徴とする画像処理装置。
【請求項１２】
前記量子化手段は、前記第１のインクに対応する多値データと比較される前記閾値から前記第１のインクに対応する多値データに基づいた値を差し引くことにより前記差分を変更することを特徴とする請求項１１に記載の画像処理装置。
【請求項１３】
前記閾値マトリクスはブルーノイズ特性を有することを特徴とする請求項１１または１２に記載の画像処理装置。
【請求項１４】
前記第１のインクは無彩色インクであり前記第２のインクはカラーインクであることを特徴とする請求項１ないし１３のいずれか１項に記載の画像処理装置。
【請求項１５】
前記第１のインクはブラックインクであり前記第２のインクはカラーインクであることを特徴とする請求項１４に記載の画像処理装置。
【請求項１６】
前記第１のインクは顔料インクであり前記第２のインクは染料インクであることを特徴とする請求項１ないし１５のいずれか１項に記載の画像処理装置。
【請求項１７】
前記第１のインクはブラック顔料インクであり、前記第２のインクはブラック染料インクであることを特徴とする請求項１６に記載の画像処理装置。
【請求項１８】
記録媒体における複数の画素エリアを含む所定の画素領域に対応して個々の画素について異なる多値の閾値が配列して成る閾値マトリクスを用いることにより、第１のインクに対応する多値データを量子化して第１の量子化データを生成し、
前記所定の画素領域に対応して個々の画素について異なる多値の閾値が配列して成る閾値マトリクスを用いることにより、第２のインクに対応する多値データを量子化して第２の量子化データを生成する量子化手段と、
前記第１の量子化データと前記第２の量子化データとに基づいて、記録手段が前記第１のインクのドットと前記第２のインクのドットによって前記記録媒体に画像を記録するために利用するデータを出力する出力手段と、
を備える画像処理装置であって、
前記第１のインクは顔料インクであり、前記第２のインクは染料インクであり、前記第１のインクに対応する多値データが中間濃度を示し、且つ前記第２のインクに対応する多値データが中間濃度を示す場合に、前記所定の画素領域における前記第１の量子化データに基づいた第１のドットパターンは、前記所定の画素領域における前記第２の量子化データに基づいた第２のドットパターンよりも高い分散性を有し、前記第１の量子化データに基づく第１のドットと前記第２の量子化データに基づく第２のドットは、前記所定の画素領域において互いに異なる位置に記録されることを特徴とする画像処理装置。
【請求項１９】
処理対象画素の第１のインクに対応する多値データを、記録媒体における複数の画素エリアを含む所定の画素領域に対応して個々の画素について異なる多値の閾値が配列された閾値マトリクスの閾値と比較することにより、前記第１のインクに対応する多値データを量子化して第１の量子化データを生成し、前記閾値マトリクスを用いて前記処理対象画素の第２のインクに対応する多値データを量子化して第２の量子化データを生成する量子化手段と、
前記第１の量子化データと前記第２の量子化データとに基づいて、記録手段が前記第１のインクのドットと前記第２のインクのドットによって前記記録媒体に画像を記録するために利用するデータを出力する出力手段と、
を備えた画像処理装置であって、
前記第１のインクは顔料インクであり、前記第２のインクは染料インクであり、
前記量子化手段は、前記第１のインクに対応する多値データとの比較に用いられた前記閾値と前記第２のインクに対応する多値データとの差分を前記第１のインクに対応する多値データに基づいて変更した後に、変更後の前記閾値と前記第２のインクに対応する多値データとの対応関係において前記第２のインクに対応する多値データを当該閾値とを比較することにより前記第２のインクに対応する多値データの量子化を行うことを特徴とする画像処理装置。
【請求項２０】
前記量子化手段は、前記第１のインクに対応する多値データに基づく値を、前記第１のインクに対応する多値データと比較した前記閾値から差し引くことによって、前記差分を変更することを特徴とする請求項１９に記載の画像処理装置。
【請求項２１】
前記閾値マトリクスはブルーノイズ特性を有することを特徴とする請求項１８ないし２０のいずれか１項に記載の画像処理装置。
【請求項２２】
第１のインクに対応する多値データを量子化して第１の量子化データを生成し、第２のインクに対応する多値データを量子化して第２の量子化データを生成する量子化工程を有し、
前記第１の量子化データに従って前記第１のインクを吐出し前記第２の量子化データに従って前記第２のインクを吐出する記録手段を用いて画像を記録するためのデータ処理を行う画像処理方法であって、
前記第１のインクの表面張力は前記第２のインクの表面張力よりも高く、
前記第１のインクに対応する多値データが中間濃度を示し、前記第２のインクに対応する多値データが中間濃度を示す場合に、前記第１の量子化データに従って記録媒体に記録される第１のドットパターンは、前記第２の量子化データに従って前記記録媒体に記録される第２のドットパターンよりも分散性が高いことを特徴とする画像処理方法。
【請求項２３】
第１のインクに対応する多値データを複数の閾値が配列された閾値マトリクスの前記閾値と比較することにより量子化して第１の量子化データを生成し、第２のインクに対応する多値データを量子化して第２の量子化データを生成する量子化工程を有し、
前記第１の量子化データに従って第１のインクを吐出し前記第２の量子化データに従って前記第２のインクを吐出する記録手段によって記録媒体に画像の記録を行うためのデータ処理を行う画像処理方法であって、
前記第１のインクの表面張力は前記第２のインクの表面張力よりも高く、
前記量子化工程は、前記第１のインクに対応する多値データとの比較に用いられた前記閾値と前記第２のインクに対応する多値データとの差分を前記第１のインクに対応する多値データに基づいて変更した後に、変更後の前記閾値と前記第２のインクに対応する多値データとの対応関係において前記第２のインクに対応する多値データを当該閾値とを比較することにより前記第２のインクに対応する多値データの量子化を行うことを特徴とする画像処理方法。
【請求項２４】
記録媒体における複数の画素エリアを含む所定の画素領域に対応して個々の画素について異なる多値の閾値が配列して成る閾値マトリクスを用いることにより、第１のインクに対応する多値データを量子化して第１の量子化データを生成し、
前記所定の画素領域に対応して個々の画素について異なる多値の閾値が配列して成る閾値マトリクスを用いることにより、第２のインクに対応する多値データを量子化して第２の量子化データを生成する量子化工程と、
前記第１の量子化データと前記第２の量子化データとに基づいて、記録手段が前記第１のインクのドットと前記第２のインクのドットによって前記記録媒体に画像を記録するために利用するデータを出力する出力工程と、
を有する画像処理方法であって、
前記第１のインクは顔料インクであり、前記第２のインクは染料インクであり、
前記第１のインクに対応する多値データが中間濃度を示し、且つ前記第２のインクに対応する多値データが中間濃度を示す場合に、前記所定の画素領域における前記第１の量子化データに基づいた第１のドットパターンは、前記所定の画素領域における前記第２の量子化データに基づいた第２のドットパターンよりも高い分散性を有し、前記第１の量子化データに基づく第１のドットと前記第２の量子化データに基づく第２のドットは、前記所定の画素領域において互いに異なる位置に記録されることを特徴とする画像処理方法。
【請求項２５】
処理対象画素の第１のインクに対応する多値データを、記録媒体における複数の画素エリアを含む所定の画素領域に対応して個々の画素について異なる多値の閾値が配列された閾値マトリクスの閾値と比較することにより、前記第１のインクに対応する多値データを量子化して第１の量子化データを生成し、前記閾値マトリクスを用いて前記処理対象画素の第２のインクに対応する多値データを量子化して第２の量子化データを生成する量子化工程と、
前記第１の量子化データと前記第２の量子化データとに基づいて、記録手段が前記第１のインクのドットと前記第２のインクのドットによって前記記録媒体に画像を記録するために利用するデータを出力する出力工程と、
を有する画像処理方法であって、
前記第１のインクは顔料インクであり、前記第２のインクは染料インクであり、
前記量子化工程は、前記第１のインクに対応する多値データとの比較に用いられた前記閾値と前記第２のインクに対応する多値データとの差分を前記第１のインクに対応する多値データに基づいて変更した後に、変更後の前記閾値と前記第２のインクに対応する多値データとの対応関係において前記第２のインクに対応する多値データを当該閾値とを比較することにより前記第２のインクに対応する多値データの量子化を行うことを特徴とする画像処理方法。
【請求項２６】
請求項１ないし２１のいずれか１項に記載の画像処理装置の各手段としてコンピュータを機能させるためのプログラム。
【手続補正２】
【補正対象書類名】明細書
【補正対象項目名】発明の名称
【補正方法】変更
【補正の内容】
【発明の名称】画像処理装置、画像処理方法およびプログラム
【手続補正３】
【補正対象書類名】明細書
【補正対象項目名】０００１
【補正方法】変更
【補正の内容】
【０００１】
本発明は、量子化処理を行った後の画像データを、インクジェット記録ヘッドを用いて記録媒体に記録するための画像処理装置、画像処理方法およびプログラムに関する。
【手続補正４】
【補正対象書類名】明細書
【補正対象項目名】００１３
【補正方法】変更
【補正の内容】
【００１３】
そのために本発明は、第１のインクに対応する多値データを量子化して第１の量子化データを生成し、第２のインクに対応する多値データを量子化して第２の量子化データを生成する量子化手段を備え、前記第１の量子化データに従って前記第１のインクを吐出し前記第２の量子化データに従って前記第２のインクを吐出する記録手段を用いて画像を記録するためのデータ処理を行う画像処理装置であって、前記第１のインクの表面張力は前記第２のインクの表面張力よりも高く、前記第１のインクに対応する多値データが中間濃度を示し、前記第２のインクに対応する多値データが中間濃度を示す場合に、前記第１の量子化データに従って記録媒体に記録される第１のドットパターンは、前記第２の量子化データに従って前記記録媒体に記録される第２のドットパターンよりも分散性が高いことを特徴とする。
【手続補正５】
【補正対象書類名】明細書
【補正対象項目名】００２８
【補正方法】変更
【補正の内容】
【００２８】
紙間選択レバー１００８は、記録ヘッド１０３のインク吐出面と記録媒体表面との間隔を調整するためのレバーである。カードスロット１００９は、メモリカードを装着可能なアダプタを受容するための開口部である。メモリカードに記憶されている画像データは、カードスロット１００９に挿入されたアダプタを介して記録装置の制御部３０００に送られ、所定の処理を施した後に記録媒体に記録される。このメモリカード（ＰＣ）としては、例えばコンパクトフラッシュ（登録商標）、スマートメディア、メモリスティック等が挙げられる。ビューワ（液晶表示部）１０１１は、メモリカードに記憶されている画像の中から印刷したい画像を検索する場合などに、１コマ毎の画像やインデックス画像などを表示する。本実施形態において、ビューワ１０１１は記録装置１本体に着脱可能になっている。端子１０１２はデジタルカメラを接続するための端子であり、端子１０１３はパーソナルコンピュータ（ＰＣ）を接続するためのＵＳＢバスコネクタである。